(57)【要約】【課題】更なる低床化が可能な排水構造及びサイホン排水システムを提供する。【解決手段】排水が、貯水後に排水される溜め流し排水となる浴槽１１と、排水が、貯水のない連続排水となる洗い場１２と、浴槽１１の排水部４１に設けられると共に、下流側に設けられかつ下流側へ向かうに連れて底部２１Ｄから斜め上方に延設された凸部２３により封水溜まり２１Ｃが形成された第１排水トラップ２１と、洗い場１２の排水部４２に設けられた第２排水トラップ２２と、第１排水トラップ２１の下流側に接続された第１サイホン排水管３１と、第２排水トラップ２２の下流側に接続された第２サイホン排水管３２と、封水溜まり２１Ｃより上方にて第１排水トラップ２１の下流側部位と第２排水トラップ２２の下流側部位とを接続する第１バイパス管１８と、を有する。【選択図】図６
2020029706.tif 000002
【特許請求の範囲】
【請求項１】
排水が、貯水後に排水される溜め流し排水となる第１の水廻り器具と、
排水が、貯水のない連続排水となる第２の水廻り器具と、
前記第１の水廻り器具の排水部に設けられると共に、底部と、当該底部から斜め上方に延設された第１傾斜部と、前記底部及び前記第１傾斜部により形成される封水溜まりとを有している第１排水トラップと、
前記第２の水廻り器具の排水部に設けられた第２排水トラップと、
前記第１排水トラップの下流側に接続された第１サイホン排水管と、
前記第２排水トラップの下流側に接続された第２サイホン排水管と、
前記封水溜まりより上方にて前記第１排水トラップの下流側部位と前記第２排水トラップの下流側部位とを接続する第１バイパス管と、
を有する排水構造。
【請求項２】
前記第１排水トラップは、前記第１傾斜部の下流側に設けられかつ斜め下方側へ延設された部位を有する第２傾斜部と、当該第２傾斜部の下流側に設けられかつ水平方向に延設された第３流路部とを備えており、
前記第１バイパス管は、前記第１排水トラップにおける前記第２傾斜部又は前記第３流路部に接続されている、
請求項１記載の排水構造。
【請求項３】
前記第１排水トラップにおける第１の水廻り器具の排水部に対応した部位は、略円筒状に形成されかつ上流側が下流側に対し拡径されている、
請求項１又は請求項２に記載の排水構造。
【請求項４】
前記第１排水トラップは、前記第１の水廻り器具の排水部と連通する箇所以外に上方へ向けて開口された開口部を有している、
請求項１〜請求項３のいずれか一項に記載の排水構造。
【請求項５】
前記第１バイパス管は、管路の少なくとも一部が前記第１排水トラップ及び前記第２排水トラップの双方よりも上方に位置している、
請求項１〜請求項４のいずれか一項に記載の排水構造。
【請求項６】
前記第１バイパス管には、前記第２排水トラップ側から前記第１排水トラップ側への流れを許容し、その反対側の流れを許容しない第１逆止弁が設けられている、
請求項１〜請求項５のいずれか一項に記載の排水構造。
【請求項７】
前記第１バイパス管に吸気弁が設けられた請求項１〜請求項６のいずれか一項に記載の排水構造。
【請求項８】
前記第１バイパス管に通気管が接続された請求項１〜請求項６のいずれか一項に記載の排水構造。
【請求項９】
他の水廻り器具に対して設けられた他の排水トラップと、
前記他の排水トラップの下流側に接続されたサイホン排水管と、
前記他の排水トラップの下流側に接続された個別通気管と、
前記通気管及び前記個別通気管が接続されたヘッダと、
前記ヘッダに接続されると共に大気に開放された合流通気管と、を有する、
請求項８に記載の排水構造。
【請求項１０】
前記第１バイパス管の最上部より低い位置において前記第１バイパス管における前記第１排水トラップ側と前記第２排水トラップ側とを接続し、管路の底面が前記第２排水トラップの上面よりも低く配置された第２バイパス管を有する、
請求項１〜請求項９のいずれか一項に記載の排水構造。
【請求項１１】
前記第２排水トラップと前記第２サイホン排水管とを接続する排水管を有し、
前記第２バイパス管における管路の底面は、前記排水管の底面よりも高く配置されている、
請求項１０に記載の排水構造。
【請求項１２】
前記第２バイパス管には、前記第２排水トラップ側から前記第１排水トラップ側への流れを許容し、その反対側の流れを許容しない第２逆止弁が設けられている、
請求項１０又は請求項１１に記載の排水構造。
【請求項１３】
前記第１排水トラップの下流側部位及び前記第２排水トラップの下流側部位の少なくとも一方に、補助チャンバを有する、
請求項１〜請求項１２のいずれか一項に記載の排水構造。
【請求項１４】
建物の上方下方向に配設される排水立て管と、
請求項１〜請求項１３の何れか１項に記載の排水構造と、を有し、
前記第１サイホン排水管及び前記第２サイホン排水管は、排水を横方向へ流す横引き管と、前記排水立て管に接続され前記横引き管からの排水を下方へ流す竪管とをそれぞれ有するサイホン排水システム。
【発明の詳細な説明】
【技術分野】
【０００１】
本開示は、排水構造及びサイホン排水システムに関する。
【背景技術】
【０００２】
下記特許文献１には、浴槽や洗い場等の水廻り器具と、サイホン排水管との間に、排水の一時貯留槽が接続された排水システムが開示されている。この一時貯留槽は、スラブと床面との間の床下空間に配置されている。また、浴槽の排水管は、洗い場の排水トラップに接続されており、浴槽の水は、洗い場の排水管を通じて排水されるようになっている。
【先行技術文献】
【特許文献】
【０００３】
【特許文献１】特許第４９２７４５０号公報
【発明の概要】
【発明が解決しようとする課題】
【０００４】
ところで、浴槽からの排水時、浴槽の水は溜め流し排水となるため、大量の排水が排水管に流れることとなる。サイホン排水管は、配管の径が従来の勾配配管よりも小さいため、サイホン排水管にサイホン力が発生するまで、浴槽からの排水が洗い場の排水トラップを通じて洗い場へ溢れるおそれがある。このため、上記した従来例のような一時貯留槽が考案されている。
【０００５】
しかしながら、一時貯留槽の容量確保のため、一時貯留槽にはある程度の高さが必要であり、この高さに応じて床下空間を確保する必要がある。このため、一時貯留槽を設ける場合には低床化が難しかった。
【０００６】
本発明は、更なる低床化が可能な排水構造及びサイホン排水システムを提供することを目的とする。
【課題を解決するための手段】
【０００７】
請求項１に記載の発明に係る排水構造は、排水が、貯水後に排水される溜め流し排水となる第１の水廻り器具と、排水が、貯水のない連続排水となる第２の水廻り器具と、前記第１の水廻り器具の排水部に設けられると共に、底部と、当該底部から斜め上方に延設された第１傾斜部と、前記底部及び前記第１傾斜部により形成される封水溜まりとを有している第１排水トラップと、前記第２の水廻り器具の排水部に設けられた第２排水トラップと、前記第１排水トラップの下流側に接続された第１サイホン排水管と、前記第２排水トラップの下流側に接続された第２サイホン排水管と、前記封水溜まりより上方にて前記第１排水トラップの下流側部位と前記第２排水トラップの下流側部位とを接続する第１バイパス管と、を有している。
【０００８】
請求項１に記載の発明によれば、第１の水廻り器具は、排水が貯水後に排水される溜め流し排水とされている。この第１の水廻り器具は、排水部に第１排水トラップが設けられていると共に、当該第１排水トラップの下流側に第１サイホン排水管が接続されている。一方、第２の水廻り器具は、排水が貯水のない連続排水とされている。この第２の水廻り器具は、排水部に第２排水トラップが設けられていると共に、当該第２排水トラップの下流側に第２サイホン排水管が接続されている。第１排水トラップは、底部と、底部から斜め上方に延設された第１傾斜部と、底部及び第１傾斜部により形成される封水溜まりとを有しており、これによって第１排水トラップ内に封水を留めておく事ができる。また、封水溜まりより上方にて第１排水トラップの下流側部位と第２排水トラップの下流側部位とを接続する第１バイパス管が設けられていることから、封水に影響されることなく第１の水廻り器具側と第２の水廻り器具側との間で空気を融通することができる。したがって、溜め流し排水により多くの排水がある場合でも、負圧が発生することなくスムーズに流すことができるので、第２の水廻り器具から排水が溢れるのを抑制することができる。
【０００９】
請求項２に記載の発明に係る排水構造は、請求項１記載の発明において、前記第１排水トラップは、前記第１傾斜部の下流側に設けられかつ斜め下方側へ延設された部位を有する第２傾斜部と、当該第２傾斜部の下流側に設けられかつ水平方向に延設された第３流路部とを備えており、前記第１バイパス管は、前記第１排水トラップにおける前記第２傾斜部又は前記第３流路部に接続されている。
【００１０】
請求項２に記載の発明によれば、第１排水トラップは、第１傾斜部の下流側に設けられかつ斜め下方側へ延設された部位を有する第２傾斜部と、第２傾斜部の下流側に設けられかつ水平方向に延設された第３流路部とを備えている。第１バイパス管は、第１排水トラップにおける第２傾斜部又は第３流路部に接続されていることから、封水溜まりから離れた位置にて第１バイパス管が第１排水トラップに接続されている。つまり、床下空間における封水溜まりがある箇所以外の空間に余裕がある箇所にて第１バイパス管を第１排水トラップに接続することができる。
【００１１】
請求項３に記載の発明に係る排水構造は、請求項１又は請求項２に記載の発明において、前記第１排水トラップにおける第１の水廻り器具の排水部に対応した部位は、略円筒状に形成されかつ上流側が下流側に対し拡径されている。
【００１２】
請求項３に記載の発明によれば、第１排水トラップにおける第１の水廻り器具の排水部に対応した部位は、下流側から上流側へ向かうに連れて拡径された略円筒状に形成されていることから、溜め流し排水により一時に多くの排水がある場合でも下流側へとスムーズに流すことができる。
【００１３】
請求項４に記載の発明に係る排水構造は、請求項１〜請求項３のいずれか一項に記載の発明において、前記第１排水トラップは、前記第１の水廻り器具の排水部と連通する箇所以外に上方へ向けて開口された開口部を有している。
【００１４】
請求項４に記載の発明によれば、第１排水トラップは、第１の水廻り器具の排水部と連通する箇所以外に開口部を有しており、この開口部は上方に向けて開口されていることから、防水パン等といった第１の水廻り器具以外の排水を、開口部を介して第１排水トラップへ流すことができる。
【００１５】
請求項５に記載の発明に係る排水構造は、請求項１〜請求項４のいずれか一項に記載の発明において、前記第１バイパス管は、管路の少なくとも一部が前記第１排水トラップ及び前記第２排水トラップの双方よりも上方に位置している。
【００１６】
請求項５に記載の発明によれば、第１の水廻り器具からの排水は、貯水後に排水される溜め流し排水となるため、第２の水廻り器具からの排水と比較して、多くの排水が一度に排水される。第１サイホン排水管にサイホン力が発生するまで、余剰の排水は第１バイパス管に流入する。第１バイパス管内の空気は、排水の流入に伴い第２排水トラップ側へ押し出される。第１バイパス管の管路の少なくとも一部は、第１排水トラップ及び第２排水トラップの双方よりも上方に位置するので、第１バイパス管に流入した排水は第２排水トラップ側には流れ難い。第１サイホン排水管にサイホン力が発生すると、第１の水廻り器具からの排水及び第１バイパス管に流入していた排水が、第１サイホン排水管を通じて速やかに排出される。これにより、第１の水廻り器具からの溜め流し排水が第２の水廻り器具へ溢れることを抑制できる。
【００１７】
一方、第２の水廻り器具からの排水は、貯水のない連続排水となる。管路内の空気は、第１バイパス管を通じて第１排水トラップ側へ押し出されるので、第２の水廻り器具からの排水がスムーズに行われる。第２サイホン排水管にサイホン力が発生すると、第２の水廻り器具からの排水が、第２サイホン排水管を通じて速やかに排出される。
【００１８】
請求項６に記載の発明に係る排水構造は、請求項１〜請求項５のいずれか一項に記載の発明において、前記第１バイパス管には、前記第２排水トラップ側から前記第１排水トラップ側への流れを許容し、その反対側の流れを許容しない第１逆止弁が設けられている。
【００１９】
請求項６に記載の発明によれば、第１バイパス管には、第１逆止弁が設けられているので、多くの排水が一度に排水される第１排水トラップ側から第２排水トラップ側への流れが抑制される。したがって、第１排水トラップからの排水が第２排水トラップへ溢れ出るのを抑制できる。
【００２０】
請求項７に記載の発明に係る排水構造は、請求項１〜請求項６のいずれか一項に記載の発明において、前記第１バイパス管に吸気弁が設けられている。
【００２１】
請求項７に記載の発明によれば、第１の水廻り器具と第２の水廻り器具との同時排水時など、第１バイパス管に負圧が生じた場合には、吸気弁から外気が取り込まれるので、第１排水トラップ及び第２排水トラップの封水が破られるのを抑制することができる。
【００２２】
請求項８に記載の発明に係る排水構造は、請求項１〜請求項６のいずれか一項に記載の発明において、前記第１バイパス管に通気管が接続されている。
【００２３】
請求項８に記載の発明によれば、第１の水廻り器具と第２の水廻り器具との同時排水時など、第１バイパス管に負圧が生じた場合には、通気管から外気が取り込まれるので、第１排水トラップ及び第２排水トラップの封水が破られるのを抑制することができる。
【００２４】
請求項９に記載の発明に係る排水構造は、請求項８に記載の発明において、他の水廻り器具に対して設けられた他の排水トラップと、前記他の排水トラップの下流側に接続されたサイホン排水管と、前記他の排水トラップの下流側に接続された個別通気管と、前記通気管及び前記個別通気管が接続されたヘッダと、前記ヘッダに接続されると共に大気に開放された合流通気管と、を有する。
【００２５】
請求項９に記載の発明によれば、通気管及び個別通気管をヘッダに集合させ、合流通気管を通じて大気に開放する構成としている。したがって、通気管や個別通気管をそれぞれ屋外まで延ばす必要がない。これにより、一括で吸排気ができると共に、通気管や個別通気管を個々に大気に開放して配置する場合と比較して、部品点数を減らすことができる。
【００２６】
請求項１０に記載の発明に係る排水構造は、請求項１〜請求項９のいずれか一項に記載の発明において、前記第１バイパス管の最上部より低い位置において前記第１バイパス管における前記第１排水トラップ側と前記第２排水トラップ側とを接続し、管路の底面が前記第２排水トラップの上面よりも低く配置された第２バイパス管を有する。
【００２７】
請求項１０に記載の発明によれば、第２排水トラップに入りきらずに満水になるような場合でも、余剰の排水は第２バイパス管を通って第１排水トラップの下流側に接続された第１サイホン排水管へ流れて行く。したがって、排水が第２排水トラップから溢れることを抑制できる。
【００２８】
請求項１１に記載の発明に係る排水構造は、請求項１０に記載の発明において、前記第２排水トラップと前記第２サイホン排水管とを接続する排水管を有し、前記第２バイパス管における管路の底面は、前記排水管の底面よりも高く配置されている。
【００２９】
請求項１１に記載の発明によれば、第２排水トラップからの排水が常に第２バイパス管へ流れることはなく、第２サイホン排水管が速やかに満流になるので、サイホン起動が遅くなることはない。
【００３０】
請求項１２に記載の発明に係る排水構造は、請求項１０又は請求項１１に記載の発明において、前記第２バイパス管には、前記第２排水トラップ側から前記第１排水トラップ側への流れを許容し、その反対側の流れを許容しない第２逆止弁が設けられている。
【００３１】
請求項１２に記載の発明によれば、第２バイパス管に第２逆止弁が設けられているので、第２バイパス管を通じた第１排水トラップ側から第２排水トラップ側への流れが抑制される。
【００３２】
請求項１３に記載の発明に係る排水構造は、請求項１〜請求項１２のいずれか一項に記載の発明において、前記第１排水トラップの下流側部位及び前記第２排水トラップの下流側部位の少なくとも一方に、補助チャンバを有する。
【００３３】
請求項１３に記載の発明によれば、補助チャンバにより、第１バイパス管の容量を超えた余剰の排水を受け入れることができる。第１の水廻り器具から汲み上げた水を第２の水廻り器具で使用した場合、通常時よりも大量の水が第２の水廻り器具から排出される。このような場合でも、補助チャンバで排水を受け入れることで、第２の水廻り器具からの排水が滞ることを抑制できる。また、第１の水廻り器具からの、より大量の溜め流し排水に対応することができる。
【００３４】
請求項１４に記載の発明に係るサイホン排水システムは、建物の上下方向に配設される排水立て管と、請求項１〜請求項１３の何れか１項に記載の排水構造と、を有し、前記第１サイホン排水管及び前記第２サイホン排水管は、排水を横方向へ流す横引き管と、前記排水立て管に接続され前記横引き管からの排水を下方へ流す竪管とをそれぞれ有する。
【００３５】
請求項１４に記載の発明によれば、第１サイホン排水管が有する横引き管及び竪管を通じて、第１の水廻り器具からの排水を排水立て管へ流すことができる。また、第２サイホン排水管が有する横引き管及び竪管を通じて、第２の水廻り器具からの排水を排水立て管へ流すことができる。
【発明の効果】
【００３６】
本発明に係る排水構造及びサイホン排水システムによれば、更なる低床化が可能な排水構造及びサイホン排水システムを提供することができる。
【図面の簡単な説明】
【００３７】
【図１】第１実施形態に係るサイホン排水システムの概要を示す断面図である。
【図２】第１実施形態に係る排水構造の概略を示す斜視図である。
【図３】第１実施形態に係る排水構造において、浴槽からの排水時の初期段階を示す断面図である。
【図４】サイホン力発生後の排水状態を示す断面図である。
【図５】第１実施形態に係る排水構造において、洗い場からの排水状態を示す断面図である。
【図６】第１実施形態に係る排水構造の第１排水トラップを示す断面図である。
【図７】第１実施形態における排水構造において、浴槽のエプロンを着脱可能とした構成を示す分解斜視図である。
【図８】第２実施形態に係る排水構造を模式的に示す斜視図である。
【図９】第３実施形態に係る排水構造を模式的に示す斜視図である。
【図１０】第４実施形態に係る排水構造を模式的に示す斜視図である。
【図１１】参考例１に係る排水構造を模式的に示す斜視図である。
【図１２】参考例２に係る排水構造を模式的に示す斜視図である。
【図１３】第５実施形態に係る排水構造を示す断面図である。
【図１４】第６実施形態に係る排水構造を示す断面図である。
【図１５】第７実施形態に係る排水構造の第１排水トラップを示す断面図である。
【図１６】（Ａ）は比較例に係る排水構造の第１排水トラップ及び排水管を示す平面図及び断面図であり、（Ｂ）は第７実施形態に係る排水構造の第１排水トラップ及び排水管を示す平面図及び断面図である。
【図１７】第８実施形態に係る排水構造の第１排水トラップを示す断面図である。
【発明を実施するための形態】
【００３８】
以下、本発明を実施するための形態を図面に基づき説明する。
【００３９】
［第１実施形態］
図１において、本実施形態に係るサイホン排水システム１０は、排水立て管１４と、排水構造１６とを有している。
【００４０】
排水立て管１４は、建物１５の床スラブ２４の貫通穴２５を貫通している。この排水立て管１４には、後述する竪管３１Ｂ，３２Ｂを連結する排水継手２８が設けられており、上部の排水立て管１４からの排水と、後述する浴槽１１や洗い場１２等の水廻り器具からの排水とを合流させるように構成されている。なお、以下の説明にて使用する各図では、配管構造を分かり易く説明するため、管継手等、各配管、各配管の接続部分の構成及び配管の方向等が適宜省略及び簡略化されて示されている。
【００４１】
（排水構造）
排水構造１６は、第１の水廻り器具の一例たる浴槽１１と、第２の水廻り器具の一例たる洗い場１２と、第１排水トラップ２１と、第２排水トラップ２２と、第１バイパス管１８と、第１サイホン排水管３１と、第２サイホン排水管３２とを有している。
【００４２】
浴槽１１は、水２０を貯めて使用される第１の水廻り器具の一例であり、排水が、貯水後に排水される溜め流し排水となる。洗い場１２は、第２の水廻り器具の一例であり、排水が、貯水のない連続排水となる。浴槽１１と洗い場１２は、間隙Ｓを空けて互いに隣り合っている。浴槽１１と洗い場１２とは、図示されるように互いに一体であってもよく、また互いに別体であってもよい。
【００４３】
第１排水トラップ２１及び第２排水トラップ２２は、汚臭やガス等の逆流を防止するためのいわゆる封水式トラップである。第１排水トラップ２１は、浴槽１１の排水部４１に設けられている。第２排水トラップ２２は、洗い場１２の排水部４２に設けられている。
【００４４】
図２に示されるように、第１バイパス管１８は、第１排水トラップ２１の下流側部位の一例たる排水管５１と、第２排水トラップ２２の下流側部位の一例たる排水管５２とを接続する管体である。第１バイパス管１８は、浴槽１１と洗い場１２との間の間隙Ｓ（図１参照）に、通常使用時に使用者からは見えないように設けられている。第１バイパス管１８を間隙Ｓに設けることで、スペースを有効利用できる。なお、第１バイパス管１８を、浴室と建物の壁との間等（図示せず）、他の部位に設けてもよい。
【００４５】
図３に示されるように、第１バイパス管１８における管路の少なくとも一部、例えば最上部１８Ｈは、第１排水トラップ２１及び第２排水トラップ２２の双方よりも上方に位置している。ここで、「第１排水トラップ２１及び第２排水トラップ２２の双方よりも上方」とは、第１排水トラップ２１の上面２１Ａより上方、かつ第２排水トラップ２２の上面２２Ａより上方を意味する。第１バイパス管１８は、例えば逆Ｕ字形に形成され、第１排水トラップ２１側の縦管部１８Ａと、第２排水トラップ２２側の縦管部１８Ｂと、縦管部１８Ａ，１８Ｂの接続部１８Ｄとを有している。接続部１８Ｄは、例えば水平方向に延びている。最上部１８Ｈとは、この管路の底面であり、該底面が、第１排水トラップ２１及び第２排水トラップ２２の双方よりも上方に位置している。接続部１８Ｄにおける管路の底面の高さが一定でない場合には、最も高い位置が最上部１８Ｈとなる。なお、第１バイパス管１８の管路の少なくとも一部として、最上部１８Ｈを挙げたが、最上部１８Ｈ以外の部位が、第１排水トラップ２１及び第２排水トラップ２２の双方よりも上方に位置していてもよい。
【００４６】
排水管５１は、第１排水トラップ２１から横方向に延び第１バイパス管１８の縦管部１８Ａに合流する上横管部５１Ａと、縦管部１８Ａの下端から下方へ延びる縦管部５１Ｂと、縦管部５１Ｂの下端から横方向に延びる下横管部５１Ｃとを有している。同様に、排水管５２は、第２排水トラップ２２から横方向に延び第１バイパス管１８の縦管部１８Ｂに合流する上横管部５２Ａと、縦管部１８Ｂの下端から下方へ延びる縦管部５２Ｂと、縦管部５２Ｂの下端から横方向に延びる下横管部５２Ｃとを有している。なお、排水管５１，５２の構成はこれに限られず、第１排水トラップ２１及び第２排水トラップ２２からそれぞれ排水可能な構成であればよい。
【００４７】
第１バイパス管１８には、吸気弁３０が設けられている。この吸気弁３０は、外部からの空気を第１バイパス管１８へ通過させると共に、第１バイパス管１８から外部へ排水及び空気を通過させないための部品である。吸気弁３０は、例えば縦管部１８Ａの延長部１８Ｃの上端に設けられている。この延長部１８Ｃを含めると、第１バイパス管１８はｈ字を反転させた鏡文字の形に形成されているともいえる。第１バイパス管１８を反対側から見ると、ｈ字形となる。なお、吸気弁３０は、第１バイパス管１８における接続部１８Ｄに設けられていてもよい。また、延長部１８Ｃ及び吸気弁３０を縦管部１８Ｂの上方に設けてもよい。
【００４８】
第１バイパス管１８における管路の最上部１８Ｈの高さ位置は、浴槽１１に貯められた水２０の標準的な水頭Ｈの高さ位置と同等以上であることが望ましい。水頭Ｈの基準は、例えば、浴槽１１の底である。標準的な水頭Ｈとは、人の入浴時に浴槽１１内に貯めるお湯の量に相当し、例えば人が浴槽１１内で座ったときに浴槽１１から溢れない程度のお湯の量に相当する。最上部１８Ｈは、第１バイパス管１８における縦管部１８Ａ，１８Ｂ間で越流が生じない最大の高さであり、接続部１８Ｄの底面の高さに相当する。
【００４９】
図２において、第１サイホン排水管３１は、第１排水トラップ２１及び第１バイパス管１８の下流側に接続されている。また、第２サイホン排水管３２は、第２排水トラップ２２及び第１バイパス管１８の下流側に接続されている。
【００５０】
具体的には、第１サイホン排水管３１は、排水管５１の下横管部５１Ｃの末端に接続されている。また、図１において、第１サイホン排水管３１は、排水を横方向へ流す横引き管３１Ａと、排水立て管１４に接続され横引き管３１Ａからの排水を下方へ流す竪管３１Ｂとを有している。また、第２サイホン排水管３２は、排水を横方向へ流す横引き管３２Ａと、排水立て管１４に接続され横引き管３２Ａからの排水を下方へ流す竪管３２Ｂとを有している。竪管３１Ｂ，３２Ｂの下端は、排水継手２８に接続されている。なお、第１サイホン排水管３１は、第２サイホン排水管３２の奥側に並列に配置されている。
【００５１】
図６に示されるように、排水部４１の下流側に設けられている第１排水トラップ２１における浴槽１１の排水部４１に対応した部位としての連通管２１Ｂは、浴槽１１の排水部４１から下方側へ向かって延設された円筒状に形成されている。この連通管２１Ｂは、上方側（上流側）が下方側（下流側）に対して拡径されている。換言すると、連通管２１Ｂの上方側は、下方側に対して径方向外側へ張り出されている。拡径された連通管２１Ｂの上方側の径は、排水部４１の径より大きく設定されており、拡径された連通管２１Ｂの上方側と、連通管２１Ｂの下方側とは、連続して繋げられている。
【００５２】
第１排水トラップ２１には、封水溜まり２１Ｃが形成されている。この封水溜まり２１Ｃは、桶状とした有底形状に形成されていると共に、下流側へ向かうに連れて底部２１Ｄから斜め上方へ延設された第１傾斜部２１Ｇと、この第１傾斜部２１Ｇから下流側へ向かうに連れて斜め下方側へ延設された部位を有する第２傾斜部２１Ｈとにより上方側へ凸状とされた凸部２３を有する排水管５１が繋げられており、この凸部２３の底壁における上方へ延設された部位の頂点である越流部５１ＡＡ以下の水位の水が封水として内部に貯留可能とされている。また、排水管５１は、第２傾斜部２１Ｈの下流側に設けられかつ水平方向に延設された第３流路部２１Ｊが床スラブ２４（図１参照）に沿うように延設されていると共に、封水溜まり２１に近い部位、すなわち第１傾斜部２１Ｇにおける封水溜まり２１Ｃより上方にて第１サイホン排水管３１が接続されている。これにより、第１サイホン排水管３１は、浴槽１１と洗い場１２との間の間隙Ｓ内への収容が容易となる。
【００５３】
また、第１排水トラップ２１は、連通管２１Ｂが挿通された部位以外は上壁部２１Ｅにより覆われていると共に、上壁部２１Ｅの一部に開口部としてのドレン２１Ｆが形成されている。このドレン２１Ｆには、通常時は可動蓋３４によって覆われており、防水パン３８上の液体が可動蓋３４上に流れると可動蓋３４が下方側へ移動して（図中二点鎖線参照）この液体を第１排水トラップ２１内へと流すことができる。
【００５４】
図７に示されるように、排水構造１６においては、洗い場１２の浴槽１１側の側面を構成するエプロン４０を着脱可能に構成してもよい。この場合、エプロン４０を取り外すことにより、排水構造１６のメンテナンスを容易に行うことが可能となる。
【００５５】
（実施形態の作用・効果）
本実施形態は、上記のように構成されており、以下その作用について説明する。図３において、本実施形態に係る排水構造１６では、浴槽１１からの排水は、貯水後に排水される溜め流し排水となるため、洗い場１２からの排水と比較して、多くの排水が一度に排水される。浴槽１１からの排水は、第１排水トラップ２１を通って排水管５１の上横管部５１Ａ、縦管部５１Ｂ、下横管部５１Ｃを通じて、第１サイホン排水管３１へ流れて行く（矢印Ａ方向）。第１サイホン排水管３１においてサイホン力が発生するまで、余剰の排水は第１バイパス管１８に流入する（矢印Ｂ方向）。第１バイパス管１８内の空気は、排水の流入に伴い第２排水トラップ２２側へ押し出される（矢印Ｃ方向）。
【００５６】
第１バイパス管１８は逆Ｕ字形に形成されており、管路の最上部１８Ｈが第１排水トラップ２１及び第２排水トラップ２２の双方よりも上方に位置するので、第１バイパス管１８に流入した排水は第２排水トラップ２２側には流れ難い。特に、第１バイパス管１８における管路の最上部１８Ｈの高さ位置が、浴槽１１に貯められた水の標準的な水頭Ｈの高さ位置と同等である場合には、縦管部１８Ａから縦管部１８Ｂへの越流は生じ難い。なお、第２排水トラップ２２の封水が破られない程度の越流は、生じてもよい。
【００５７】
図４において、第１サイホン排水管３１にサイホン力が発生すると、浴槽１１からの排水及び第１バイパス管１８に流入していた排水が、第１サイホン排水管３１を通じて速やかに排出され（矢印Ａ方向）、浴槽１１の水位が低下して行く（矢印Ｄ方向）。このとき、吸気弁３０から第１バイパス管１８に外気が取り込まれるので（矢印Ｅ方向）、第２排水トラップ２２側に負圧が作用することが抑制される。このため、第２排水トラップ２２の封水が破られることはない。
【００５８】
このように、排水構造１６によれば、従来のような一時貯留槽を用いなくても、浴槽１１からの溜め流し排水が洗い場１２へ溢れることを抑制できる。
【００５９】
一方、図５において、洗い場１２からの排水は、貯水のない連続排水となる。洗い場１２からの排水は、第２排水トラップ２２を通って排水管５２の上横管部５２Ａ、縦管部５２Ｂ、下横管部５２Ｃを通じて、第２サイホン排水管３２へ流れて行く（矢印Ｆ方向）。第１バイパス管１８における管路内の空気は、第１バイパス管１８を通じて第１排水トラップ２１側へ押し出されるので（矢印Ｇ方向）、洗い場１２からの排水がスムーズに行われる。連続排水の場合には水頭が殆どないため、第１バイパス管１８の縦管部１８Ｂに排水が流入しない。第２サイホン排水管３２にサイホン力が発生すると、洗い場１２からの排水が、第２サイホン排水管３２を通じて速やかに排出される（矢印Ｆ方向）。このとき、洗い場１２のみからの排水であれば、第１バイパス管１８に負圧が生じることは殆どないが、浴槽１１との同時排水時など、第１バイパス管１８に負圧が生じた場合には、吸気弁３０から外気が取り込まれるので、第１排水トラップ２１及び第２排水トラップ２２の封水が破られることはない。
【００６０】
図１において、本実施形態に係るサイホン排水システム１０では、第１サイホン排水管３１が有する横引き管３１Ａ及び竪管３１Ｂを通じて、浴槽１１からの排水を排水立て管１４へ流すことができる。また、このサイホン排水システム１０では、第２サイホン排水管３２が有する横引き管３２Ａ及び竪管３２Ｂを通じて、洗い場１２からの排水を排水立て管１４へ流すことができる。
【００６１】
図６に示されるように、第１排水トラップ２１は、底部２１Ｄと、底部２１Ｄから斜め上方に延設された第１傾斜部２１Ｇと、底部２１Ｄ及び第１傾斜部２１Ｇにより形成される封水溜まり２１Ｃとを有しており、これによって第１排水トラップ２１内に封水を留めておく事ができる。また、封水溜まり２１Ｃより上方にて第１排水トラップ２１の下流側部位と第２排水トラップ２２の下流側部位とを接続する第１バイパス管１８が設けられていることから、封水に影響されることなく浴槽１１側と洗い場１２側との間で空気を融通することができる。したがって、溜め流し排水により多くの排水がある場合でも、負圧が発生することなくスムーズに流すことができるので、洗い場１２から排水が溢れるのを抑制することができる。これにより、一時貯水槽が不要となり更なる低床化が可能とされている。
【００６２】
また、連通管２１Ｂは、下流側から上流側へ向かうに連れて拡径された略円筒状に形成されていることから、溜め流し排水により一時に多くの排水がある場合でも下流側へとスムーズに流すことができる。
【００６３】
さらにまた、第１排水トラップ２１は、浴槽１１の排水部４１と連通する箇所以外にドレン２１Ｆを有しており、このドレン２１Ｆは上方に向けて開口されていることから、防水パン３８等の浴槽１１以外の排水を、ドレン２１Ｆを介して第１排水トラップ２１へ流すことができる。
【００６４】
このように、本実施形態に係る排水構造１６及びサイホン排水システム１０によれば、従来のような一時貯留槽が不要となるので、溜め流し排水が行われる浴槽１１等の設置場所の更なる低床化が可能となる。
【００６５】
［第２実施形態］
図８において、本実施形態に係る排水構造２６は、第１排水トラップ２１の下流側部位及び第２排水トラップ２２の下流側部位の少なくとも一方、例えば双方に、補助チャンバ７１，７２を有している。補助チャンバ７１は、第１排水トラップ２１の下流側部位に設けられている。補助チャンバ７２は、第２排水トラップ２２の下流側部位に設けられている。
【００６６】
補助チャンバ７１，７２は、例えば排水管５１，５２にそれぞれ設けられた大径部（内径拡大部）である。補助チャンバ７１，７２の高さ寸法は、従来の一時貯留槽よりも小さく設定されており、第１排水トラップ２１、第２排水トラップ２２及び排水管５１，５２の配置に必要な空間内に配置可能な大きさとされる。したがって、補助チャンバ７１，７２の設置のために床下空間を余分に必要とすることはない。
【００６７】
図示の例では、補助チャンバ７１，７２は何れも第１バイパス管１８の上流側に配置されているが、補助チャンバ７１，７２の何れか一方又は双方が、第１バイパス管１８の下流側に配置されていてもよい。
【００６８】
この排水構造２６では、補助チャンバ７１，７２により、第１バイパス管１８の容量を超えた余剰の排水を受け入れることができる。浴槽１１（図１）から汲み上げた水を洗い場１２（図１）で使用した場合、通常時よりも大量の水が洗い場１２から排出される。このような場合でも、補助チャンバ７１，７２で排水を受け入れることで、洗い場１２からの排水が滞ることを抑制できる。また、浴槽１１からの、より大量の溜め流し排水に対応することができる。
【００６９】
他の部分については、第１実施形態と同様であるので、同一の部分には図面に同一の符号を付し、説明を省略する。
【００７０】
［第３実施形態］
図９において、本実施形態に係る排水構造３６では、第１バイパス管１８に、吸気弁３０（図２）の代わりとなる通気管７４が接続されている。通気管７４は、例えば建物の屋外まで延び、末端７４Ａが大気に開放されている。
【００７１】
この排水構造３６では、吸気弁３０（図２）の代わりに通気管７４が設けられているので、吸気弁３０の配置スペースが不要となる。
【００７２】
第１サイホン排水管３１にサイホン力が発生した際、通気管７４から第１バイパス管１８に外気が取り込まれるので、第２排水トラップ２２の封水が破られることはない。第２サイホン排水管３２にサイホン力が発生した際にも、通気管７４から第１バイパス管１８に外気が取り込まれるので、第１排水トラップ２１の封水が破られることはない。
【００７３】
他の部分については、第１実施形態と同様であるので、同一の部分には図面に同一の符号を付し、説明を省略する。
【００７４】
［第４実施形態］
図１０において、本実施形態に係る排水構造４６は、他の排水トラップ８３，８４と、サイホン排水管９３，９４と、個別通気管１０３，１０４と、ヘッダ８０と、合流通気管９０とを有している。
【００７５】
他の排水トラップ８３は、他の水廻り器具の一例たる洗濯機の排水部（図示せず）に対して設けられる。他の排水トラップ８４は、他の水廻り器具の一例たる洗面台に対して設けられる。他の排水トラップ８３，８４は、汚臭やガス等の逆流を防止するためのいわゆる封水式トラップである。
【００７６】
他の排水トラップ８３の下流側には、排水管１１３が接続されている。サイホン排水管９３は、排水管１１３の下流側に接続されている。また、他の排水トラップ８４の下流側には、排水管１１４が接続されている。サイホン排水管９４は、排水管１１４の下流側に接続されている。
【００７７】
個別通気管１０３は、一端が他の排水トラップ８３の下流側部位（排水管１１３）に接続されている。また、個別通気管１０４は、一端が他の排水トラップ８４の下流側部位（排水管１１４）に接続されている。個別通気管１０３，１０４の他端は、それぞれヘッダ８０に接続されている。
【００７８】
ヘッダ８０は、通気管７４及び個別通気管１０３，１０４が接続された管継手である。合流通気管９０は、ヘッダ８０に接続されると共に、大気に開放されている。具体的には、合流通気管９０は、例えば建物の屋外まで延び、末端９０Ａが大気に開放されている。
【００７９】
この排水構造４６では、吸気弁３０（図２）の代わりに通気管７４及び個別通気管１０３，１０４が設けられているので、吸気弁３０の配置スペースが不要となる。また、通気管７４及び個別通気管１０３，１０４をヘッダ８０に集合させ、合流通気管９０を通じて大気に開放する構成としている。したがって、通気管７４や個別通気管１０３，１０４をそれぞれ屋外まで延ばす必要がない。これにより、一括で吸排気ができると共に、通気管７４や個別通気管１０３，１０４を個々に大気に開放して配置する場合と比較して、部品点数を減らすことができる。
【００８０】
他の部分については、第１実施形態と同様であるので、同一の部分には図面に同一の符号を付し、説明を省略する。
【００８１】
［参考例１］
図１１において、本参考例に係る排水構造５６では、第１排水トラップ２１から延びる排水管５１の下流側に、第１サイホン排水管３１が接続されている。また、第２排水トラップ２２から延びる排水管５２の下流側に、第２サイホン排水管３２が接続されている。つまり、第１排水トラップ２１からの排水経路と、第２排水トラップ２２からの排水経路とが、互いに独立している。
【００８２】
したがって、第１排水トラップ２１からの溜め流し排水が行われても、その排水が第２排水トラップ２２側へ流入することはない。このため、浴槽１１からの溜め流し排水が洗い場１２へ溢れることを抑制できる（図１）。
【００８３】
他の部分については、第１実施形態と同様であるので、同一の部分には図面に同一の符号を付し、説明を省略する。
【００８４】
［参考例２］
図１２において、本参考例に係る排水構造６６は、参考例１において、吸気弁１１１，１１２が更に設けられている。排水管５１には、上方に延びる分岐管１２１が接続されている。吸気弁１１１は、該分岐管１２１の上端に設けられている。また、排水管５２には、上方に延びる分岐管１２２が接続されている。また、吸気弁１１２は、該分岐管１２２の上端に設けられている。吸気弁１１１，１１２の構成は、第１実施形態の吸気弁３０と同様である。
【００８５】
本参考例では、参考例１と同様に、第１排水トラップ２１からの溜め流し排水が行われても、その排水が第２排水トラップ２２側へ流入することはない。このため、浴槽１１からの溜め流し排水が洗い場１２へ溢れることを抑制できる（図１）。
【００８６】
排水管５１に吸気弁１１１が追加されているので、第１排水トラップ２１からの排水時には、吸気弁１１１から外気が取り込まれる。また、排水管５２に吸気弁１１２が追加されているので、第２排水トラップ２２からの排水時には、吸気弁１１２から外気が取り込まれる。したがって、第１排水トラップ２１からの排水、及び第２排水トラップ２２からの排水が、何れも流れ易くなる。
【００８７】
他の部分については、第１実施形態又は参考例１と同様であるので、同一の部分には図面に同一の符号を付し、説明を省略する。
【００８８】
［第５実施形態］
図１３において、本実施形態に係る排水構造８６は、第２バイパス管２１８を有している。この第２バイパス管２１８は、第１バイパス管１８の最上部より低い位置において第１バイパス管１８における第１排水トラップ２１側と第２排水トラップ２２側とを接続している。第２バイパス管２１８における管路の底面は、第２排水トラップ２２の上面２２Ａよりも低く配置されている。また、第２バイパス管２１８における管路の底面は、排水管５２の上横管部５２Ａの底面５２Ｄよりも高く配置されている。
【００８９】
第２バイパス管２１８は、例えば横方向に延びている。なお、第２バイパス管２１８は、水平方向に対して傾斜したり、湾曲していたりしてもよい。このように、第２バイパス管２１８における管路の底面の高さが一定でない場合には、底面のうち最も高い位置が、第２排水トラップ２２の上面２２Ａよりも低く、上横管部５２Ａの底面５２Ｄよりも高く配置されている。
【００９０】
第１バイパス管１８における例えば接続部１８Ｄには、第１逆止弁１９が設けられている。第１逆止弁１９は、第２排水トラップ２２側から第１排水トラップ２１側への流れを許容し、その反対側の流れを許容しないように構成されている。なお、第１逆止弁１９の位置は接続部１８Ｄに限られず、例えば縦管部１８Ｂに設けられていてもよい。また、第１逆止弁１９は、第１排水トラップ２１側から第２排水トラップ２２側への流れをある程度許容する構成であってもよい。
【００９１】
第２バイパス管２１８には、第２逆止弁２１９が設けられている。第２逆止弁２１９は、第２排水トラップ２２側から第１排水トラップ２１側への流れを許容し、その反対側の流れを許容しないように構成されている。なお、第２逆止弁２１９は、第１排水トラップ２１側から第２排水トラップ２２側への流れをある程度許容する構成であってもよい。
【００９２】
洗い場１２からの排水が第２排水トラップ２２に入りきらずに満水になるような場合でも、本実施形態によれば、余剰の排水は第２バイパス管２１８を通って排水管５１の縦管部５１Ｂ、下横管部５１Ｃを通じて、第１サイホン排水管３１（図１）へ流れて行く（矢印Ｈ方向）。本実施形態では、第２バイパス管２１８における管路の底面が、排水管５２の上横管部５２Ａの底面５２Ｄよりも高く配置されている。したがって、洗い場１２からの排水が常に第２バイパス管２１８へ流れることはなく、第２サイホン排水管３２が速やかに満流になるので、サイホン起動が遅くなることはない。
【００９３】
また、本実施形態では、第２バイパス管２１８における管路の底面が、第２排水トラップ２２の上面２２Ａよりも低く配置されている。したがって、第２排水トラップ２２から排水が溢れそうな場合に第２バイパス管２１８へ排水が流れるので、排水が第２排水トラップ２２から溢れることを抑制できる。
【００９４】
更に、第２バイパス管２１８に第２逆止弁２１９が設けられているので、第２バイパス管２１８を通じた第１排水トラップ２１側から第２排水トラップ２２側への流れが抑制される。また、第１バイパス管１８の接続部１８Ｄに第１逆止弁１９が設けられているので、浴槽１１からの排水時に、第１バイパス管１８を通じた第１排水トラップ２１側から第２排水トラップ２２側への流れ、つまり縦管部１８Ａから縦管部１８Ｂへの越流がより一層生じ難くなる。
【００９５】
他の部分については、第１実施形態と同様であるので、同一の部分には図面に同一の符号を付し、説明を省略する。
【００９６】
［第６実施形態］
図１４において、本実施形態に係る排水構造７６は、第５実施形態における第１バイパス管１８の第１逆止弁１９を省略した構成とされている。第１バイパス管１８では、第１実施形態で述べたように、最上部１８Ｈの高さの設定を適切に行うことにより、第１バイパス管１８における縦管部１８Ａ，１８Ｂ間で越流が生じないようにできる。したがって、本実施形態のように第１逆止弁１９を省略することで、構成を簡素化し、低コスト化が可能となる。
【００９７】
［第７実施形態］
図１５において、本実施形態に係る排水構造１３０は、第１排水トラップ１３２を有している。この第１排水トラップ１３２は、排水部４１の下流側に設けられていると共に、管状に形成されている。
【００９８】
第１排水トラップ１３２の下流側には、第１サイホン排水管３１が接続されている。換言すると、第１排水トラップ１３２は、第１実施形態における排水管５１が一体となった構成とされている。
【００９９】
第１排水トラップ１３２の浴槽１１側の開口は、上方側（上流側）が下方側（下流側）に対して拡径されている。換言すると、第１排水トラップ１３２の浴槽１１側の開口は、それ以外の部位に対して径方向外側へ張り出されている。また、図１６（Ａ）に示されるように、一般的な排水管５１は、径寸法が第１排水トラップ２１の径寸法より細く設定されている。これに対し、本実施形態の第１排水トラップ１３２の径寸法は、図１６（Ｂ）に示されるように、浴槽１１の近傍、すなわち排水部４１に対応した部位である拡径された部位の寸法に近い径寸法が下流側へ略一定に続くように設定されており、一般的な排水管５１よりも太く設定されている。
【０１００】
図１５に示されるように、第１排水トラップ１３２には、封水溜まり１３２Ａが形成されている。具体的には、第１排水トラップ１３２には、第１排水トラップ１３２の底部１３２Ｅから斜め上方に延設された第１傾斜部１３２Ｇと、第１傾斜部１３２Ｇの下流側に設けられた第２傾斜部１３２Ｈと、第２傾斜部１３２Ｈの下流側に設けられかつ水平方向にて床スラブ２４（図１参照）に延設された第３流路部１３２Ｊとで凸部１３３が形成されている。なお、第２傾斜部１３２Ｈは、底部１３２Ａから斜め上方へ延設された第１傾斜部１３２Ｇに隣接する水平方向に延設された部位と、当該水平方向に延設された部位の下流に設けられた斜め下方へ延設された部位とを有している。つまり、第１排水トラップ１３２は、上方側へ向けた凸部１３３を有している。この凸部１３３内の第１傾斜部１３２Ｇ側に封水溜まり１３２Ａが形成される。
【０１０１】
第１排水トラップ１３２の凸部１３３における底部１３２Ｅの上方へ延設された部位の頂点である越流部１３２Ｂには、第１トラップ壁１３２Ｃが形成されている。この第１トラップ壁１３２Ｃは、上流側から下流側へ向かう方向を板厚方向とすると共に、越流部１３２Ｂから上方へ向けて突出されている。
【０１０２】
一方、第１排水トラップ１３２の越流部１３２Ｂより上流側の上部１３２Ｆには、第２トラップ壁１３２Ｄが形成されている。この第２トラップ壁１３２Ｄは、上流側から下流側へ向かう方向を板厚方向とすると共に、上部１３２Ｆから下方へ向けて突出されている。なお、第１トラップ壁１３２Ｃ及び第２トラップ壁１３２Ｄのそれぞれの突出量は、必要とする封水の量を確保できる程度に設定されている。
【０１０３】
第１バイパス管１８は、第１排水トラップ１３２の凸部１３３における封水溜まり１３２Ａより上方の部位に接続されている。具体的には、第１排水トラップ１３２の凸部１３３における第１傾斜部１３２Ｇに接続されている。
【０１０４】
本実施形態では、基本的な構成が第１実施形態と同一の構成とされているので、第１実施形態と同様の作用効果を得ることができる。また、第１排水トラップ１３２は、第１実施形態における排水管５１が一体となった構成とされていることから、構成を簡素化し、低コスト化が可能となる。
【０１０５】
また、図１６（Ｂ）に示されるように、第１排水トラップ１３２の下流側の部位が一般的な排水管５１よりも太く設定されているため、第２トラップ壁１３２Ｄが形成された部位における流路Ｓの面積を一般的な太さの配管における流路Ｓ（図１６（Ａ）参照）に比べて大きくできる。これにより、つまりを抑制することができる。
【０１０６】
［第８実施形態］
図１７において、本実施形態に係る排水構造１４０は、第７実施形態における第１バイパス管１８が第１排水トラップ１３２の凸部１３３における下流側へ向かうに連れて斜め下方へ延設された部位を有する第２傾斜部１３２Ｈに接続されている。具体的には、第２傾斜部１３２Ｈは、底部１３２Ａから斜め上方へ延設された第１傾斜部１３２Ｇに隣接する水平方向に延設された部位と、当該水平方向に延設された部位の下流に設けられた斜め下方へ延設された部位とを有しており、第１傾斜部１３２Ｇと第２傾斜部１３２Ｈとで上方側へ凸状とされた凸部１３３における、第２傾斜部１３２Ｈの封水溜まり１３２Ａより上方側の位置に第１バイパス管１８が接続されている。したがって、封水溜まり１３２Ａから離れた位置にて第１バイパス管１８が第１排水トラップ１３２と接続されている。つまり、床下空間における封水溜まり１３２Ａがある箇所以外の空間に余裕がある箇所にて第１バイパス管１８を第１排水トラップ１３２に接続させることができるので、配管の取り回し性を向上させることができる。
【０１０７】
また、第１バイパス管１８が第１排水トラップ１３２の凸部１３３における下流側へ向かうに連れて斜め下方へ延設された下流側部位に接続されることで、第１排水トラップ１３２内の上流側から下流側へ流れる排水や空気が第１バイパス管１８内に入りやすくなる。したがって、第１サイホン排水管３１においてサイホン力が発生するまで、浴槽１１からの余剰の排水は第１バイパス管１８にて素早く吸収することができる。
【０１０８】
なお、本実施形態では、第１バイパス管１８が第１排水トラップ１３２の第２傾斜部１３２Ｈに接続されているが、これに限らず、第１バイパス管１８における第２傾斜部１３２Ｈの下流側に設けられかつ水平方向に延設された第３流路部１３２Ｊに接続されてもよい。
【０１０９】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【０１１０】
第１の水廻り器具の一例として浴槽１１を挙げたが、第１の水廻り器具は、洗濯機等、排水が溜め流しとなる器具であってもよい。また、第２の水廻り器具の一例として洗い場１２を挙げたが、第２の水廻り器具は、洗面台、台所、食洗機等、排水が連続排水となる器具であってもよい。
【０１１１】
第１バイパス管１８が接続される第１排水トラップ２１の下流側部位の一例として、排水管５１を挙げたが、下流側部位はこれに限られない。同様に、第１バイパス管１８が接続される第２排水トラップ２２の下流側部位の一例として、排水管５２を挙げたが、下流側部位はこれに限られない。例えば、第１バイパス管１８を第１排水トラップ２１及び第２排水トラップ２２の少なくとも一方に直接接続してもよい。
【０１１２】
第１バイパス管１８に吸気弁３０が設けられるものとしたが、第１排水トラップ２１や第２排水トラップ２２の封水が破られることがなければ、吸気弁３０を省略してもよい。
【符号の説明】
【０１１３】
１０・・・サイホン排水システム、１１・・・浴槽（第１の水廻り器具）、１２・・・洗い場（第２の水廻り器具）、１４・・・排水立て管、１６・・・排水構造、１８・・・バイパス管、１９・・・第１逆止弁、２１・・・第１排水トラップ、２１Ｂ・・・連通管（第１の水廻り器具の排水部に対応した部位）、２１Ｃ・・・封水溜まり、２１Ｄ・・・底部、２１Ｆ・・・ドレン（開口部）、２１Ｇ・・・第１傾斜部、２１Ｈ・・・第２傾斜部、２１Ｊ・・・第３流路部、２２・・・第２排水トラップ、２３・・・凸部（斜め上方に延設された部位）、２６・・・排水構造、３０・・・吸気弁、３１・・・第１サイホン排水管、３１Ａ・・・横引き管、３１Ｂ・・・竪管、３２・・・第２サイホン排水管、３２Ａ・・・横引き管、３２Ｂ・・・竪管、３６・・・排水構造、４１・・・排水部、４２・・・排水部、４６・・・排水構造、５２・・・排水管、５２Ｄ・・・底面、５６・・・排水構造、６６・・・排水構造、７１・・・補助チャンバ、７２・・・補助チャンバ、７４・・・通気管、７６・・・排水構造、８０・・・ヘッダ、８３・・・他の排水トラップ、８４・・・他の排水トラップ、８６・・・排水構造、９０・・・合流通気管、９３・・・サイホン排水管、９４・・・サイホン排水管、１０３・・・個別通気管、１０４・・・個別通気管、１３０・・・排水構造、１３２・・・第１排水トラップ、１３２Ａ・・・封水溜まり、１３２Ｅ・・・底部、１３２Ｇ・・・第１傾斜部、１３２Ｈ・・・第２傾斜部、１３２Ｊ・・・第３流路部、１３３・・・凸部（斜め上方に延設された部位）、１４０・・・排水構造、２１８・・・第２バイパス管、２１９・・・第２逆止弁
【図１】
2020029706.tif 000003
【図２】
2020029706.tif 000004
【図３】
2020029706.tif 000005
【図４】
2020029706.tif 000006
【図５】
2020029706.tif 000007
【図６】
2020029706.tif 000008
【図７】
2020029706.tif 000009
【図８】
2020029706.tif 000010
【図９】
2020029706.tif 000011
【図１０】
2020029706.tif 000012
【図１１】
2020029706.tif 000013
【図１２】
2020029706.tif 000014
【図１３】
2020029706.tif 000015
【図１４】
2020029706.tif 000016
【図１５】
2020029706.tif 000017
【図１６】
2020029706.tif 000018
【図１７】
2020029706.tif 000019